(57)【要約】【課題】部品点数を増加させることなく、防振性および防塵性を向上させる。【解決手段】光走査装置は、ハウジングとカバーとを備える。ハウジングには係合穴が形成されるとともに、カバーには係合片が形成される。係合片は、ハウジングの側壁部に沿う第１部分と、第１部分と間隔を隔てて対向するよう折り返された第２部分とを有する。そして、係合片が係合穴に挿入されたとき、第１部分がハウジングの側壁部に向かって弾性変形するとともに、第２部分が第１部分に向かって弾性変形しつつ係合穴の内縁下部に当接することによって、係合片と係合穴とが係合し、係合片の復元力によりカバーがハウジングに対して押し付けられる。【選択図】図３
2016006458.tif 000002
【特許請求の範囲】
【請求項１】
光源から発せられる光により被走査面上を偏向走査する走査光学系と、
底部および前記底部から上下方向に立設する側壁部を有し、前記底部および前記側壁部で囲まれた収容領域内に前記走査光学系を収容するハウジングと、
前記ハウジングの上方側から前記ハウジングに取り付けられることにより前記収容領域の開口を塞ぐカバーと、を備え、
前記ハウジングおよび前記カバーには、それぞれ、第１取付部および前記第１取付部に取り付け可能な第２取付部が設けられており、前記第１取付部に前記第２取付部が取り付けられることによって、前記カバーが前記ハウジングから脱落しないよう保持され、
前記ハウジングには、前記上下方向に開口する係合穴が形成されるとともに、前記カバーには、前記カバーが前記ハウジングに取り付けられることにより前記係合穴に挿入される係合片が形成され、
前記係合片は、前記ハウジングの側壁部に沿う第１部分と、前記第１部分と間隔を隔てて対向するよう折り返された第２部分とを有し、
前記係合片が前記係合穴に挿入されたとき、
前記第１部分が前記ハウジングの側壁部に向かって弾性変形するとともに、前記第２部分が前記第１部分に向かって弾性変形しつつ前記係合穴の内縁下部に当接することによって、前記係合片と前記係合穴とが係合し、
前記係合片の復元力により前記カバーが前記ハウジングに対して押し付けられることを特徴とする光走査装置。
【請求項２】
前記係合穴の内縁下部は、前記係合穴の開口面積が下方向に向かって徐々に大きくなるよう傾斜した傾斜面となっており、
前記第２部分が前記傾斜面に当接することによって、前記係合片と前記係合穴とが係合することを特徴とする請求項１に記載の光走査装置。
【請求項３】
前記第２部分のうち前記傾斜面と当接する当接面は、前記傾斜面と当接したとき、前記傾斜面に対して略平行となることを特徴とする請求項２に記載の光走査装置。
【請求項４】
前記係合片のうち前記係合穴の内縁と当接する側の表面には、前記表面から突出するリブが形成されることを特徴とする請求項１〜３のいずれか１項に記載の光走査装置。
【請求項５】
前記第１部分と前記第２部分との連結部分において、前記第１部分と前記第２部分との成す角度が鋭角となっていることを特徴とする請求項１〜４のいずれか１項に記載の光走査装置。
【請求項６】
請求項１〜５のいずれか１項に記載の光走査装置を備えた画像形成装置。
【発明の詳細な説明】
【技術分野】
【０００１】
本発明は、光走査装置およびそれを備えた画像形成装置に関する。
【背景技術】
【０００２】
電子写真方式の画像形成装置に設置される光走査装置（露光装置）は、露光用の光を発する光源や、光源からの光により被走査面上を偏向走査する走査光学系を含む。なお、走査光学系は、レンズやミラーなどで構成される。
【０００３】
このような光走査装置は、レンズやミラーに塵埃が付着するのを抑制するため、走査光学系を収容するための筐体を備える。たとえば、筐体は、走査光学系が収容される収容領域を有するハウジングと、ハウジングの収容領域の開口を塞ぐカバーとを含む。
【０００４】
ここで、ハウジングとカバーとが確実に密着していれば、カバーにガタツキが生じず、また、ハウジングの収容領域内への塵埃の進入もほとんどない。しかし、ハウジングおよびカバーの各寸法は、公差範囲内でばらつく。したがって、実際には、カバーにガタツキが生じたり、ハウジングの収容領域内に塵埃が進入したりする。
【０００５】
そこで、特許文献１の光走査装置では、防振性および防塵性を高めるための弾性部材がハウジングに別途設けられる。この弾性部材は、ハウジングの周壁に沿って配設され、ハウジングに取り付けられるカバーの周壁と弾性的に係合する。そして、カバーの周壁が弾性部材と係合した状態では、弾性部材の弾性力（復元力）によって、カバーがハウジングに対して押し付けられる。これにより、ハウジングの周壁の上端とカバーとが密着する。
【先行技術文献】
【特許文献】
【０００６】
【特許文献１】特開平９−１０５８８２号公報
【発明の概要】
【発明が解決しようとする課題】
【０００７】
特許文献１では、上記のように、防振性および防塵性を高めるため、別途準備した弾性部材をハウジングの周壁に設けるようにしている。このため、防振性および防塵性は高まるが、部品点数が増加する。したがって、組立工数が増加し、組立時の作業性が低下するという不都合が生じる。
【０００８】
本発明は、上記課題を解決するためになされたものであり、部品点数を増加させることなく、防振性や防塵性を向上させることが可能な光走査装置およびそれを備えた画像形成装置を提供することを目的とする。
【課題を解決するための手段】
【０００９】
上記目的を達成するために、本発明の光走査装置は、光源から発せられる光により被走査面上を偏向走査する走査光学系と、底部および底部から上下方向に立設する側壁部を有し、底部および側壁部で囲まれた収容領域内に走査光学系を収容するハウジングと、ハウジングの上方側からハウジングに取り付けられることにより収容領域の開口を塞ぐカバーと、を備える。ハウジングおよびカバーには、それぞれ、第１取付部および第１取付部に取り付け可能な第２取付部が設けられており、第１取付部に第２取付部が取り付けられることによって、カバーがハウジングから脱落しないよう保持される。また、ハウジングには、上下方向に開口する係合穴が形成されるとともに、カバーには、カバーがハウジングに取り付けられることにより係合穴に挿入される係合片が形成される。係合片は、ハウジングの側壁部に沿う第１部分と、第１部分と間隔を隔てて対向するよう折り返された第２部分とを有する。そして、係合片が係合穴に挿入されたとき、第１部分がハウジングの側壁部に向かって弾性変形するとともに、第２部分が第１部分に向かって弾性変形しつつ係合穴の内縁下部に当接することによって、係合片と係合穴とが係合し、係合片の復元力によりカバーがハウジングに対して押し付けられる。
【００１０】
本発明の構成では、カバーの係合片がハウジングの係合穴に挿入されたとき（カバーがハウジングに取り付けられたとき）、係合片が弾性変形し、その係合片の復元力によりカバーがハウジングに対して押し付けられるので、ハウジングに対してカバーが確実に密着する。これにより、防振性および防塵性を高めるための部材を別途設けなくても、カバーにガタツキが生じたり、ハウジングの収容領域内に塵埃が進入したりするのを抑制することができる。
【００１１】
また、この構成では、係合片に第１部分および第２部分を設け、その第２部分を第１部分と間隔を隔てて対向するよう折り返した形状とすることによって、係合片の複数個所が弾性変形するので、係合片の上下方向のサイズを大きくすることなく、係合片の弾性力を増大させることができる。すなわち、係合片の上下方向のサイズを大きくすることなく、確実に、カバーをハウジングに対して押し付けることができる。さらに、係合片の複数個所が弾性変形するようになっていると、所定の１箇所に応力が集中することに起因して係合片が破損し易くなる、という不都合が発生するのを抑制することもできる。
【発明の効果】
【００１２】
以上のように、本発明によれば、部品点数を増加させることなく、防振性や防塵性を向上させることができる。
【図面の簡単な説明】
【００１３】
【図１】本発明の一実施形態による複合機（画像形成装置）の概略図
【図２】本発明の一実施形態による複合機に搭載される露光装置（光走査装置）の内部構成を説明するための図
【図３】図２に示した露光装置の構成部材が装着される筐体（ハウジングおよびカバー）の斜視図
【図４】図３に示した筐体の構成を説明するための図（ハウジングにカバーが取り付けられる前の図）
【図５】図３に示した筐体の構成を説明するための図（ハウジングにカバーが取り付けられた後の図）
【図６】図３に示した筐体に設けられる脱落防止機構（第１取付部および第２取付部）の構成を説明するための図（ハウジングにカバーが取り付けられる前の図）
【図７】図３に示した筐体に設けられる脱落防止機構の構成を説明するための図（ハウジングにカバーが取り付けられた後の図）
【図８】図３に示した筐体に設けられるカバー押付機構（係合穴および係合片）の構成を説明するための図（ハウジングにカバーが取り付けられる前の図）
【図９】図３に示した筐体に設けられるカバー押付機構の構成を説明するための図（ハウジングにカバーが取り付けられた後の図）
【図１０】図９に示したカバー押付機構を構成する係合穴および係合片の拡大図
【図１１】図３に示した筐体に設けられるカバー押付機構を構成する係合片の斜視図
【図１２】図１１に示したカバー押付機構を構成する係合片の断面形状（リブの形状）を説明するための図
【発明を実施するための形態】
【００１４】
本発明の一実施形態による光走査装置およびそれを備えた画像形成装置について、複合機を例にとって説明する。
【００１５】
＜複合機の全体構成＞
図１に示すように、複合機１００（「画像形成装置」に相当）は、画像読取部１および印刷部２を備える。画像読取部１は、原稿を読み取って画像データを生成する。印刷部２は、用紙搬送路２１に沿って用紙Ｐを搬送するとともに、画像データに基づきトナー像を形成する。そして、印刷部２は、搬送中の用紙Ｐにトナー像を印刷し、印刷済みの用紙Ｐを排出トレイ２２に排出する。
【００１６】
印刷部２は、給紙部３、用紙搬送部４、画像形成部５および定着部６で構成される。給紙部３は、ピックアップローラー３１および給紙ローラー対３２を含み、用紙カセット３３に収容された用紙Ｐを用紙搬送路２１に供給する。用紙搬送部４は、複数の搬送ローラー対４１を含み、用紙搬送路２１に沿って用紙Ｐを搬送する。
【００１７】
画像形成部５は、感光体ドラム５１、帯電装置５２、露光装置５３（「光走査装置」に相当）、現像装置５４、転写ローラー５５およびクリーニング装置５６を含む。
【００１８】
画像形成時には、感光体ドラム５１が回転し、その感光体ドラム５１の表面（「被走査面」に相当）を帯電装置５２が帯電させる。また、露光装置５３は、感光体ドラム５１の表面を露光し、感光体ドラム５１の表面に静電潜像を形成する。現像装置５４は、感光体ドラム５１の表面に形成された静電潜像にトナーを供給して現像する。
【００１９】
転写ローラー５５は、感光体ドラム５１の表面に圧接し、感光体ドラム５１との間で転写ニップを形成する。この転写ニップに用紙Ｐが進入することにより、感光体ドラム５１の表面のトナー像が用紙Ｐに転写される。クリーニング装置５６は、感光体ドラム５１の表面に残留するトナーなどを除去する。
【００２０】
定着部６は、加熱ローラー６１および加圧ローラー６２を含む。加熱ローラー６１は、発熱源を内蔵する。加圧ローラー６２は、加熱ローラー６１に圧接し、加熱ローラー６１との間で定着ニップを形成する。そして、トナー像が転写された用紙Ｐは、定着ニップを通過することにより、加熱および加圧される。これにより、用紙Ｐにトナー像が定着し、印刷が完了する。
【００２１】
＜露光装置の構成＞
図２に示すように、露光装置５３は、半導体レーザー素子７１（「光源」に相当）および走査光学系７２を備える。半導体レーザー素子７１は、露光用の光を発する。走査光学系７２は、コリメータレンズ７３、シリンドリカルレンズ７４、ポリゴンミラー７５、Ｆθレンズ７６および反射ミラー７７などを含み、半導体レーザー素子７１から発せられる光により感光体ドラム５１の表面上を偏向走査する。
【００２２】
コリメータレンズ７３は、半導体レーザー素子７１から発せられる光を平行光に変換する。シリンドリカルレンズ７４は、主走査方向と直交する副走査方向にのみ所定の屈折力を有し、コリメータレンズ７３からの光をポリゴンミラー７５の反射面に結像させる。ポリゴンミラー７５は、反射面を複数有する回転多面鏡であり、ポリゴンモーター７５ａから駆動力が伝達されて回転する。そして、ポリゴンミラー７５は、回転することにより、その反射面に入射した光を偏向走査する。Ｆθレンズ７６は、ポリゴンミラー７５からの光を一定の速度で主走査方向に走査させ、反射ミラー７７に導く。反射ミラー７７は、被走査面である感光体ドラム５１の表面に向かって光を反射する。
【００２３】
また、露光装置５３は、半導体レーザー素子７１や走査光学系７２を保持するため、図３に示すような筐体５０を備える。この筐体５０は、ハウジング８０とカバー９０とで構成される。以下、露光装置５３の上下方向をＡ方向と称して説明する。
【００２４】
図４および図５に示すように、ハウジング８０は、底部８１と、その底部８１からＡ方向（上向き）に立設する側壁部８２とを有する。そして、ハウジング８０は、底部８１および側壁部８２で囲まれた領域である収容領域８０Ａ内に走査光学系７２を収容する。なお、半導体レーザー素子７１は、ハウジング８０に保持されるが、収容領域８０Ａ内には収容されない。このため、半導体レーザー素子７１からの光は、ハウジング８０に形成された図示しない開口を介して収容領域８０Ａ内に入る。
【００２５】
カバー９０は、天面部９１と、その天面部９１からＡ方向（下向き）に立設する側壁部９２とを有する。また、天面部９１のうち側壁部９２よりも内側の部分には、Ａ方向（下向き）に立設するリブ９３が形成される。そして、このカバー８０をハウジング９０に取り付けたものが筐体５０となる。以下、ハウジング８０の側壁部８２をハウジング側壁部８２と称し、カバー９０の側壁部９２をカバー側壁部９２と称する。
【００２６】
カバー９０は、ハウジング８０の上方側（収容領域８０Ａの開口側）からハウジング８０に取り付けられる。これにより、収容領域８０Ａがカバー９０によって塞がれる（天面部９１が収容領域８０Ａを覆う）。また、ハウジング８０にカバー９０が取り付けられた状態では、ハウジング側壁部８２よりも外側にカバー側壁部９２が配置され、カバー側壁部９２とリブ９３とによってハウジング側壁部８２が挟み込まれる。このように、カバー側壁部９２とリブ９３とでハウジング側壁部８２が挟み込まれると、収容領域８０Ａ内への塵埃（飛散したトナーなど）の進入が抑制される。すなわち、走査光学系７２が汚れるのを抑制することができる。
【００２７】
なお、図４および図５では、図面を簡略化するため、半導体レーザー素子７１や走査光学系７２など筐体５０に保持される部材は図示していない。また、図４および図５は模式図であり、実際の形状や寸法とは異なっている。
【００２８】
筐体５０には、ハウジング８０からカバー９０が脱落するのを防止するための脱落防止機構が設けられる。たとえば、脱落防止機構は、図３に示すように、ハウジング８０側の係合爪８３と、カバー９０側の係合穴９４とによって構成される。なお、係合爪８３は「第１取付部」に相当し、係合穴９４は「第２取付部」に相当する。
【００２９】
図６および図７に示すように、係合爪８３は、ハウジング側壁部８２に設けられ、ハウジング側壁部８２から外側に突出する。また、係合爪８３は、断面形状が三角形状となっており、下方向に向かって徐々に突出量が大きくなるよう形成される。係合穴９４は、カバー側壁部９２に設けられ、カバー側壁部９２の肉厚方向に開口する。なお、係合穴９４の下端部分９４ａは、他の部分より厚みが大きくなるよう形成される。
【００３０】
このような脱落防止機構を設けておくと、ハウジング側壁部８２とカバー側壁部９２とが重畳するようカバー９０をハウジング８０に取り付けることにより、係合爪８３と係合穴９４とが係合する。なお、係合爪８３の断面形状が三角形状となっているのは、カバー９０をハウジング８０に装着するときの抵抗を小さくするためである。
【００３１】
係合爪８３と係合穴９４とが係合した状態では、カバー９０が上方向に移動しようとすると、係合爪８３と係合穴９４の下端部分９４ａとが当接することにより、カバー９０の上方向への移動が規制される。これにより、ハウジング８０からカバー９０が脱落するのを抑制することができる。
【００３２】
なお、脱落防止機構の設置数および設置個所は特に限定されない。たとえば、脱落防止機構は、筐体５０の或る側壁に２つ設けられ、その側壁の反対側の側壁にも２つ設けられる。あるいは、筐体５０の全ての側壁に１または複数ずつ脱落防止機構を設けてもよい。さらに、脱落防止機構の構造も特に限定されず、ハウジング８０からのカバー９０の脱落が抑制できればよい。
【００３３】
ここで、係合爪８３と係合穴９４とが係合状態にあるとき、ハウジング側壁部８２の上端面が天面部９１に対して密着していれば、カバー９０にガタツキは生じない。しかし、実際には、係合爪８３および係合穴９４の各寸法は公差範囲内でばらつく。したがって、カバー９０にガタツキが生じることがある。また、ハウジング側壁部８２の上端面と天面部９１の間に隙間が空き、その隙間から収容領域８０Ａ内に塵埃が進入して走査光学系７２を汚してしまうこともある。
【００３４】
このため、筐体５０には、脱落防止機構に加えて、カバー９０をハウジング８０に対して押し付けるためのカバー押付機構が設けられる。たとえば、カバー押付機構は、図３に示すように、ハウジング８０側の係合穴８４と、カバー９０側の係合片９５とによって構成される。
【００３５】
図８および図９に示すように、ハウジング側壁部８２の一部には、ハウジング側壁部８２の外側面に対して略垂直な平面（段差面）を有する段差部８５が一体的に形成される。段差部８５の一部はＡ方向に開口しており、その段差部８５の開口が係合穴８４となる。また、係合穴８４の開口形状（平面形状）は略四角形状であり、係合穴８４の一辺はハウジング側壁部８２に接する（ハウジング側壁部８２が係合穴８４の内縁の一部を成す）。
【００３６】
係合片９５は、弾性変形可能にカバー側壁部９２に一体的に形成される。たとえば、係合片９５は、ポリカーボネート樹脂からなる。なお、カバー９０本体の構成材料もポリカーボネート樹脂であり、係合片９５はカバー９０本体と一体成型される。そして、係合片９５は、ハウジング８０にカバー９０が取り付けられるとき、弾性変形しつつ係合穴８４に挿入され、最終的に係合穴８４と係合する（図８から図９の状態になる）。
【００３７】
具体的には、係合片９５は、第１部分９６および第２部分９７を有する。第１部分９６は、カバー側壁部９２に連結され、カバー側壁部９２からＡ方向（下向き）に延びる。このため、第１部分９６は、ハウジング８０にカバー９０を取り付けるとき、ハウジング側壁部８２の外側面に沿うことになる。
【００３８】
さらに、第１部分９６は、その位置（係合穴８４に係合片９５が挿入されていないときの位置）がカバー側壁部９２に対して全体的に外側にずれるように形成される。したがって、係合穴８４に係合片９５が挿入されていない状態では、ハウジング側壁部８２と第１部分９６との間に隙間が空く（図８参照）。すなわち、このときには、第１部分９６はハウジング側壁部８２に向かって弾性変形可能となる。
【００３９】
第２部分９７は、第１部分９６の下端に連結される。そして、第２部分９７は、第１部分９６との連結部分において第１部分９６との間で成す角度が鋭角となるように、第１部分９６の下端から斜め上方向に延びる。言い換えると、第２部分９７は、第１部分９６と間隔を隔てて対向するよう折り返された部分である。これにより、第２部分９７は、第１部分９６に向かって弾性変形可能となる。
【００４０】
ハウジング８０へのカバー９０の取付時には、先ず、カバー側壁部９２とリブ９３との間にハウジング側壁部８２の上端部分が挟み込まれ、そのままカバー８０が下向きにスライドされる。これにより、係合穴８４に係合片９５が入り込み、第２部分９７が係合穴８４の内縁に当接する（図８参照）。この後、カバー９０をさらに押し下げ、係合穴８４への係合片９５の挿入を続けると、第２部分９７が第１部分９６に向かって弾性変形し、それに伴って、第１部分９６がハウジング側壁部８２に向かって弾性変形する。そして、カバー９０が所定量押し下げられると、第１部分９６がハウジング側壁部８２に当接する。
【００４１】
第１部分９６がハウジング側壁部８２に当接すると、第１部分９６は弾性変形しなくなるが、第２部分９７は第１部分９６に向かって弾性変形を続ける。そして、ハウジング側壁部８２の上端面が天面部９１に密着するまでカバー９０が押し下げられることにより、第２部分９７が係合穴８４の内縁下部８４ａに当接する（図９参照）。すなわち、係合穴８４と係合片９５とが係合する。
【００４２】
このように、係合穴８４と係合片９５とが係合すると、係合片９５が弾性変形した状態で保持されるので、係合片９５に復元力（係合片９５が元の形状に戻ろうとする力）が生じる。この係合片９５の復元力は、係合穴８４の内縁下部８４ａに対して斜め上方向に加わる。結果として、係合片９５の復元力により、カバー９０が押し下げられる。すなわち、カバー９０がハウジング９０に対して押し付けられる。これにより、ハウジング側壁部８２の上端面が天面部９１に対して密着する。
【００４３】
ここで、図１０に示すように、係合穴８４の内縁下部８４ａの一部（ハウジング側壁部８２側とは反対側の部分）は、係合穴８４の開口面積が下方向に向かって徐々に大きくなるよう傾斜した傾斜面となっている（Ｃ面取りされている）。この係合穴８４の内縁下部８４ａ（傾斜面）の傾斜は、特に限定されないが、たとえば、段差部８５の段差面（ハウジング側壁部８２の外側面に対して略垂直な平面）に対して約６０°傾斜するよう形成される。以下、係合穴８４の内縁下部８４ａを傾斜面８４ａと称する場合がある。
【００４４】
また、係合片９５の第２部分９７は、第１部分９６と連結する連結部９８と、係合穴８４と実際に当接して係合する当接部９９とを有する。そして、係合穴８４への係合片９５の係合時には、当接部９９の一表面９９ａ（以下、当接面９９ａと称する）が係合穴８４の傾斜面８４ａに当接する。なお、図１０では、図面を見易くするため、係合穴８４の内縁と係合片９５とを離して図示している。
【００４５】
係合穴８４に係合片９５が係合していないときには、当接部９９は第１部分９６に対して略平行となるよう上方向に延びる。そして、当接面９９ａが傾斜面８４ａに当接するときには、当接面９９ａは傾斜面８４ａに対して略平行となる。なお、当接面９９ａと傾斜面８４ａとが完全に平行になる必要はなく、たとえば、当接面９９ａと傾斜面８４ａとの傾斜のズレが±１５°の範囲内であればよい。
【００４６】
さらに、図１１に示すように、係合片９５のうち、ハウジング８０（ハウジング側壁部８２や係合穴８４の内縁）と当接する側の表面には、その表面から突出するリブ９５ａがＡ方向に延在するよう形成される。係合片９５のリブ９５ａは、たとえば、図１２に示すように、略矩形状（角部が面取りされているものも含む）の断面形状を有する。なお、係合片９５のリブ９５ａの断面形状は特に限定されず、断面形状が略半球状になっていてもよいし、断面形状が略三角形状になっていてもよい。また、係合片９５のリブ９５ａは、第１部分９６から第２部分９７にわたって形成されてもよいし、第２部分９７にだけ形成されてもよい。このようなリブ９５ａを係合片９５に形成すると、そのリブ９５ａが係合穴８４の内縁に当接するので、係合片９５のうちリブ９５ａ以外の部分はハウジング８０に当接しなくなる。
【００４７】
本実施形態の露光装置５３（光走査装置）は、上記のように、半導体レーザー素子７１（光源）から発せられる光により感光体ドラム５１の表面（被走査面）上を偏向走査する走査光学系７２と、底部８１および底部８１からＡ方向（上下方向）に立設するハウジング側壁部８２（側壁部）を有し、底部８１およびハウジング側壁部８２で囲まれた収容領域８０Ａ内に走査光学系７２を収容するハウジング８０と、ハウジング８０の上方側からハウジング８０に取り付けられることにより収容領域８０Ａの開口を塞ぐカバー９０と、を備える。ハウジング８０およびカバー９０には、それぞれ、係合爪８３（第１取付部）および係合爪８３に取り付け可能な係合穴９４（第２取付部）が設けられており、係合爪８３に係合穴９４が取り付けられることによって、カバー９０がハウジング８０から脱落しないよう保持される。また、ハウジング８０には、Ａ方向に開口する係合穴８４が形成されるとともに、カバー９０には、カバー９０がハウジング８０に取り付けられることにより係合穴８４に挿入される係合片９５が形成される。係合片９５は、ハウジング側壁部８２に沿う第１部分９６と、第１部分９６と間隔を隔てて対向するよう折り返された第２部分９７とを有する。そして、係合片９５が係合穴８４に挿入されたとき、第１部分９６がハウジング側壁部８２に向かって弾性変形するとともに、第２部分９７が第１部分９６に向かって弾性変形しつつ係合穴８４の内縁下部８４ａに当接することによって、係合片９５と係合穴８４とが係合し、係合片９５の復元力によりカバー９０がハウジング８０に対して押し付けられる。
【００４８】
本実施形態の構成では、カバー９０の係合片９５がハウジング８０の係合穴８４に挿入されたとき（カバー９０がハウジング８０に取り付けられたとき）、係合片９５が弾性変形し、その係合片９５の復元力によりカバー９０がハウジング８０に対して押し付けられるので、ハウジング８０に対してカバー９０が確実に密着する。これにより、防振性および防塵性を高めるための部材を別途設けなくても、カバー９０にガタツキが生じたり、ハウジング８０の収容領域８０Ａ内に塵埃が進入したりするのを抑制することができる。
【００４９】
また、この構成では、係合片９５に第１部分９６および第２部分９７を設け、その第２部分９７を第１部分９６と間隔を隔てて対向するよう折り返した形状とすることによって、係合片９５の複数個所が弾性変形するので、係合片９５のＡ方向のサイズを大きくすることなく、係合片９５の弾性力を増大させることができる。すなわち、係合片９５のＡ方向のサイズを大きくすることなく、確実に、カバー９０をハウジング８０に対して押し付けることができる。さらに、係合片９５の複数個所が弾性変形するようになっていると、所定の１箇所に応力が集中することに起因して係合片９５が破損し易くなる、という不都合が発生するのを抑制することもできる。
【００５０】
また、本実施形態では、上記のように、係合穴８４の内縁下部８４ａは、係合穴８４の開口面積が下方向に向かって徐々に大きくなるよう傾斜した傾斜面となっている。そして、その傾斜面８４ａに第２部分９７が当接することによって、係合穴８４と係合片９５とが係合する。このように構成すれば、係合穴８４と係合片９５とが係合して係合片９５が弾性変形したとき（係合穴８４の内縁下部８４ａに第２部分９７が当接したとき）、確実に、係合片９５の復元力によりカバー９０をハウジング８０に対して押し付けることができる。
【００５１】
また、本実施形態では、上記のように、第２部分９７のうち係合穴８４の傾斜面８４ａと当接する当接部９９の当接面９９ａは、傾斜面８４ａと当接したとき、傾斜面８４ａに対して略平行となる。このように構成すれば、係合穴８４と係合片９５との接触面積が増えるので、係合状態が良好に保持される。
【００５２】
また、本実施形態では、上記のように、係合片９５のうち係合穴８４の内縁と当接する側の表面には、その表面から突出するリブ９５ａが形成される。このように構成すれば、係合穴８４に係合片９５を挿入するとき、係合穴８４と係合片９５との接触面積が減るので、抵抗が小さくなり、係合穴８４への係合片９５の挿入が容易になる。
【００５３】
また、本実施形態では、上記のように、第１部分９６と第２部分９７との連結部分において、第１部分９６と第２部分９７との成す角度が鋭角となっている。このように構成すれば、係合穴８４への係合片９５の挿入が容易になり、組立性が向上する。
【００５４】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる
【符号の説明】
【００５５】
７１  半導体レーザー素子（光源）
７２  走査光学系
８０  ハウジング
８０Ａ  収容領域
８１  底部
８２  ハウジング側壁部（側壁部）
８３  係合爪（第１取付部）
８４  係合穴
８４ａ  内縁下部（傾斜面）
９０  カバー
９４  係合穴（第２取付部）
９５  係合片
９５ａ  リブ
９６  第１部分
９７  第２部分
９９ａ  当接面
【図１】
2016006458.tif 000003
【図２】
2016006458.tif 000004
【図３】
2016006458.tif 000005
【図４】
2016006458.tif 000006
【図５】
2016006458.tif 000007
【図６】
2016006458.tif 000008
【図７】
2016006458.tif 000009
【図８】
2016006458.tif 000010
【図９】
2016006458.tif 000011
【図１０】
2016006458.tif 000012
【図１１】
2016006458.tif 000013
【図１２】
2016006458.tif 000014